(57)【要約】【課題】第１の周波数帯域の信号と第２の周波数帯域の信号とを受信する受信回路を有する受信装置に関し、高調波ノイズを低減できる受信装置を提供することを目的とする。【解決手段】本発明は、第１の周波数帯域の信号と第２の周波数帯域の信号とを受信する受信回路を有する受信装置であって、第１の周波数帯域の信号を通過させ、第２の周波数帯域の信号を減衰させ、受信回路に供給するフィルタ（１１１）と、フィルタ（１１１）に並列に設けられ、制御信号に基づいてスイッチングするスイッチ手段（１１２）とを有することを特徴とする。【選択図】図１
2008054217.tif 000002
【特許請求の範囲】
【請求項１】
第１の周波数帯域の信号と第２の周波数帯域の信号とを受信する受信回路を有する受信装置であって、
前記第１の周波数帯域の信号を通過させ、前記第２の周波数帯域の信号を減衰させ、前記受信回路に供給するフィルタと、
前記フィルタに並列に設けられ、制御信号に基づいてスイッチングするスイッチ手段とを有することを特徴とする受信装置。
【請求項２】
前記スイッチ手段は、前記フィルタの入力側にアノードが接続され、前記フィルタの出力側にカソードが接続されたダイオードと、
前記制御信号に応じて前記ダイオードにバイアス電圧を印加するバイアス回路とを有することを特徴とする請求項１記載の受信装置。
【請求項３】
前記ダイオードは、ＰＩＮダイオードから構成されていることを特徴とする請求項２記載の受信装置。
【請求項４】
前記バイアス回路は、一端に前記制御信号が供給され、他端が前記ダイオードのアノードに接続された第１の抵抗と、
一端が前記ダイオードのカソードに接続された第２の抵抗と、
一端が前記第２の抵抗の他端に接続された、他端が接地された交流カット用コイルとを有することを特徴とする請求項２記載の受信装置。
【請求項５】
前記第１の周波数帯域は、ディジタルオーディオ放送の周波数帯域であり、
前記第２の周波数帯域は、ＦＭ放送の周波数帯域であることを特徴とする請求項１記載の受信装置。
【発明の詳細な説明】
【技術分野】
【０００１】
本発明は受信装置に係り、特に、第１の周波数帯域の信号と第２の周波数帯域の信号とを受信する受信回路を有する受信装置に関する。
【背景技術】
【０００２】
近年、高音質化の要求からラジオ放送としてディジタルオーディオ放送（ＤＡＢ）が提案され、実用化されている。ＤＡＢが実用される際、ＦＭ放送など既存の放送波と競合することになる。このため、ディジタルオーディオ放送受信装置に搭載される高周波ＩＣなどはＤＡＢだけでなく、ＦＭ放送を受信可能な構成とされていた。このとき、このような高周波ＩＣでは、チップの端子数を低減するために、受信周波数帯域などの関係からＢａｎｄ３とＦＭ放送との信号端子を共用していた。
【０００３】
図４は従来のディジタルオーディオ放送受信装置のブロック構成図を示す。
【０００４】
ディジタルオーディオ放送受信装置１は、コンデンサＣ11、Ｃ12、高周波回路１１、復調回路１２などを含む構成とされている。
【０００５】
アンテナ端子Ｔantには、アンテナから高周波信号が供給される。アンテナ端子Ｔantに供給された高周波信号は、コンデンサＣ11を介して高周波回路１１のＢａｎｄ３／ＦＭ入力端子Ｔin1に供給されるとともに、コンデンサＣ12を介して高周波回路１１のＬ−バンド入力端子Ｔin2に供給される。
【０００６】
高周波回路１１は、主に、１チップの半導体チップから構成されており、復調回路１２からの選局信号に応じた高周波信号を抽出して復調回路１２に供給する。復調回路１２は、高周波回路１１からの高周波信号を復調して、外部回路に供給する。
【０００７】
しかし、このとき、Ｂａｎｄ３の周波数帯域（１７４〜２４２ＭＨｚ）には、受信可能なＦＭ放送の周波数帯域（１０８ＭＨｚ）の２倍の高調波（２１６ＭＨｚ）が含まれていた。このとき、一般にＢａｎｄ３の強度が小さく、かつ、１０８ＭＨｚのＦＭ放送の強度が大きい地域では、２倍の高調波（２１６ＭＨｚ）がＢａｎｄ３にノイズとして重畳され、Ｂａｎｄ３の受信を妨害している。
【０００８】
なお、一般にノイズなどの影響を除去するためには複数のバンドパスフィルタを設け、各々で所望の周波数帯域の信号を抽出している（特許文献１、２参照）。
【特許文献１】実開平５−４８４４０号公報
【特許文献２】特表２００４−５０２３７５号公報
【発明の開示】
【発明が解決しようとする課題】
【０００９】
しかしながら、バンドパスフィルタによりＢａｎｄ３の周波数帯域のみを通過させると、ＦＭ放送が受信できなくなるなどの問題点があった。また、受信しようとする周波数帯域に対して各々にフィルタを設ける構成では回路構成が複雑となり、コストが高くなるなどの問題点があった。
【００１０】
本発明は上記の点に鑑みてなされたもので、高調波ノイズを低減できる受信装置を提供することを目的とする。
【課題を解決するための手段】
【００１１】
本発明は、第１の周波数帯域の信号と第２の周波数帯域の信号とを受信する受信回路を有する受信装置であって、第１の周波数帯域の信号を通過させ、第２の周波数帯域の信号を減衰させ、受信回路に供給するフィルタ（１１１）と、フィルタ（１１１）に並列に設けられ、制御信号に基づいてスイッチングするスイッチ手段（１１２）とを有することを特徴とする。
【００１２】
スイッチ手段（１１２）は、フィルタ（１１１）の入力側にアノードが接続され、フィルタの出力側にカソードが接続されたダイオード（Ｄ11）と、制御信号に応じてダイオード（Ｄ11）にバイアス電圧を印加するバイアス回路（Ｒ11、Ｒ12、Ｌ11）とを有することを特徴とする。
【００１３】
ダイオード（Ｄ11）は、ＰＩＮダイオードから構成されていることを特徴とする。
【００１４】
バイアス回路（Ｒ11、Ｒ12、Ｌ11）は、一端に制御信号が供給され、他端がダイオード（Ｄ11）のアノードに接続された第１の抵抗（Ｒ11）と、一端がダイオード（Ｄ11）のカソードに接続された第２の抵抗（Ｒ12）と、一端が第２の抵抗（Ｒ12）の他端に接続された、他端が接地された交流カット用コイル（Ｌ11）とを有することを特徴とする。
【００１５】
第１の周波数帯域はディジタルオーディオ放送の周波数帯域であり、第２の周波数帯域はＦＭ放送の周波数帯域であることを特徴とする。
【００１６】
なお、上記参照符号はあくまでも参考であり、これによって、特許請求の範囲が限定されるものではない。
【発明の効果】
【００１７】
本発明によれば、第１の周波数帯域の信号と第２の周波数帯域の信号とを受信する受信回路を有する受信装置において第１の周波数帯域の信号を通過させ、第２の周波数帯域の信号を減衰させ、受信回路に供給するフィルタ（１１１）と、フィルタ（１１１）に並列に設けられ、制御信号に基づいてスイッチングするスイッチ手段（１１２）とを設けることにより、制御信号によりスイッチ手段（１１２）をオンすると、第１の周波数帯域と第２の周波数帯域とを含む信号が受信回路に供給され、制御信号によりスイッチ手段（１１２）をオフすると、フィルタ（１１１）を通過した第１の周波数帯域の信号だけを受信回路に供給することができ、これによって、高調波ノイズの混入を低減できる。
【発明を実施するための最良の形態】
【００１８】
図１は本発明の一実施例のブロック構成図を示す。
【００１９】
本実施例の受信装置１００は、ＤＢＡを受信するための受信装置であり、コンデンサＣ11、Ｃ12、フィルタ回路１１１、スイッチ回路１１２、高周波回路１１、復調回路１１３を含む構成とされている。
【００２０】
受信装置１００は、アンテナ端子Ｔantにアンテナから信号が供給される。アンテナ端子Ｔantは、コンデンサＣ11を介してバンドパスフィルタ１１１に接続されるとともに、コンデンサＣ11を介して高周波回路１１のＬ−バンド入力端子Ｔin2に接続されている。コンデンサＣ11、Ｃ12は、アンテナ端子Ｔantからの信号から直流成分を除去する。
【００２１】
バンドパスフィルタ１１１は、ＤＢＡ、ＢＡＮＤ３の周波数帯域の信号を通過するようにその周波数帯域が設定されている。バンドパスフィルタ１１１を通過した信号は、高調波回路１１のＢａｎｄ３／ＦＭ信号入力端子Ｔin1に供給される。バンドパスフィルタ１１１には、スイッチ回路１１２が並列に接続されている。
【００２２】
スイッチ回路１１２は、ＰＩＮダイオードＤ11、抵抗Ｒ11、Ｒ12、コイルＬ11から構成されている。
【００２３】
ＰＩＮダイオードＤ11は、バンドパスフィルタ１１１に並列に接続されており、アノードがコンデンサＣ11とバンドパスフィルタ１１１との接続点に接続されており、カソードが高周波回路１１のＢａｎｄ３／ＦＭ信号入力端子Ｔin1に接続されている。
【００２４】
ＰＩＮダイオードＤ11は、抵抗Ｒ11、Ｒ12、コイルＬ11によりそのアノード−カソード間に印加されるバイアス電圧によってスイッチングする。
【００２５】
抵抗Ｒ11は、一端がＰＩＮダイオードＤ11のアノードに接続され、他端が制御端子Ｔcnt2に接続されている。抵抗Ｒ12は、一端がＰＩＮダイオードＤ12のカソードに接続され、他端がコイルＬ11の一端に接続されている。コイルＬ11の他端は、接地されている。
【００２６】
スイッチ回路１１３は制御端子Ｔcnt2に復調回路１１３から直流電圧が印加される。制御端子Ｔcnt2に直流電圧が印加されると、ＰＩＮダイオードＤ11がオンする。
【００２７】
このとき、抵抗Ｒ11、Ｒ12によりＰＩＮダイオードＤ11の順方向電流を抑制し、ＰＩＮダイオードＤ11に不要な電流が流れることを防止している。コイルＬ11は、アンテナ端子Ｔantからの信号成分が接地に流れるのを防止する。
【００２８】
スイッチ回路１１２の制御端子Ｔcnt2は、復調回路１１３の制御端子Ｔcnt3に接続されている。復調回路１１３は制御端子Ｔcnt1に外部回路から選局情報が供給されており、制御端子Ｔcnt1に供給された選局情報に基づいて選局情報に応じた周波数の信号が供給されるように高周波回路１１を制御する。
【００２９】
復調回路１１３は、外部回路からの選局情報に応じて高周波回路１１を制御して、選局情報に応じた高周波信号を高周波回路１１から取得する。また、復調回路１１３は、高周波回路１１から供給された高周波信号を復調し、外部回路に供給する。
【００３０】
図２は復調回路１１３の処理フローチャートを示す。
【００３１】
復調回路１１３は、ステップＳ１−１で外部回路からＦＭ放送局の受信指示があると、ステップＳ１−２で制御端子Ｔcnt3からスイッチ回路１１２の制御端子Ｔcnt2に供給する制御信号をハイレベルにする。スイッチ回路１１２は、制御端子Ｔcnt2に供給される制御信号がハイレベルになると、ＰＩＮダイオードＤ11がオンする。ＰＩＮダイオードＤ11がオンすると、アンテナ端子Ｔantからの高周波信号がダイオードＤ11を介して高周波回路１１のＢａｎｄ３／ＦＭ信号入力端子Ｔin1に供給される。これによってバンドパスフィルタ１１１によりＦＭ信号が低減されることなく、高周波回路１１にＦＭ信号が供給される。高周波回路１１は、ＰＩＮダイオードＤ11を通してＢａｎｄ３／ＦＭ信号入力端子Ｔin1に供給された高周波信号から復調回路１１３からの選局情報に応じた周波数の高周波信号を選局して、復調回路１１３に供給する。復調回路１１３は、高周波回路１１から供給された高周波信号に応じて高周波信号から選局情報に応じたＦＭ信号を復調する。
【００３２】
また、復調回路１１３は、ステップＳ１−１で外部回路からＢａｎｄ３のディジタルオーディオ放送を受信する指示があると、ステップＳ１−３で制御端子Ｔcnt3からスイッチ回路１１２の制御端子Ｔcnt2に供給する制御信号をローレベルにする。スイッチ回路１１２は、制御端子Ｔcnt2に供給される制御信号がローレベルになると、ＰＩＮダイオードＤ11がオフする。ＰＩＮダイオードＤ11がオフすると、アンテナ端子Ｔantからの高周波信号は、バンドパスフィルタ１１１に供給される。バンドパスフィルタ１１１は、アンテナ端子Ｔantからの高周波信号からＢＡＮＤ３の周波数帯域の信号を選択的に通過させ、復調回路１１３に供給する。このため、復調回路１１３のＢａｎｄ３／ＦＭ信号入力端子Ｔin1には、Ｂａｎｄ３の周波数帯域の信号だけが供給される。すなわち、ＦＭ信号の高調波成分は除去された高周波信号が供給される。
【００３３】
これによってＢａｎｄ３の信号に高調波ノイズが乗るのを防止でき、よって、Ｂａｎｄ３の信号を確実に復調することが可能となる。
【００３４】
図３は本発明の一実施例の動作説明図を示す。
【００３５】
例えば、Ｂａｎｄ３の周波数帯域は、１７４ＭＨｚ〜２４２ＭＨｚである。一方、ＦＭ放送の周波数帯域として１０８ＭＨｚという周波数がある。このとき、１０８ＭＨｚの２倍の高調波は、図３に破線で示すように２１６ＭＨｚとなる。
【００３６】
これは、Ｂａｎｄ３の周波数帯域は１７４ＭＨｚ〜２４２ＭＨｚに含まれており、ＦＭ放送の１０８ＭＨｚが含まれていると、Ｂａｎｄ３を受信する際にＦＭ放送の高調波ノイズによってＢａｎｄ３の受信が妨害される。本実施例では、Ｂａｎｄ３の受信時には、スイッチ回路１１３をオフすることによってアンテナ端子Ｔantからの信号はバンドパスフィルタ１１１を通して高周波回路１１のＢａｎｄ３／ＦＭ信号入力端子Ｔin1に供給されるため、１０８ＭＨｚのＦＭ放送波の２倍の高調波がノイズとして信号に重畳されることはなく、よって、Ｂａｎｄ３の信号をノイズの影響を受けることなく、復調することができる。
【００３７】
なお、本発明は、上記の実施例に限定されるものではなく、本発明の要旨を逸脱しない範囲で種々の変形例が考えられることは言うまでもない。
【図面の簡単な説明】
【００３８】
【図１】本発明の一実施例のブロック構成図である。
【図２】復調回路１１２の処理フローチャートある。
【図３】本発明の一実施例の動作説明図である。
【図４】従来のディジタルオーディオ放送受信装置の一例のブロック構成図である。
【符号の説明】
【００３９】
１００  受信回路
１１  高周波回路、１１１  バンドパスフィルタ、１１２  スイッチ回路
１１３  復調回路
Ｃ11、Ｃ12  コンデンサ、Ｄ11  ＰＩＮダイオード、Ｒ11、Ｒ12  抵抗、Ｌ11  コイル
【図１】
2008054217.tif 000003
【図２】
2008054217.tif 000004
【図３】
2008054217.tif 000005
【図４】
2008054217.tif 000006